【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
端末装置に通信可能に接続された、制御部と記憶部とを少なくとも備えた経路探索サーバであって、
上記制御部は、
上記端末装置から送信される上記端末装置の経路探索の条件を規定する経路探索条件を受信する経路探索条件受信手段と、
上記端末装置の現在位置を示す現在位置情報を受信する現在位置情報受信手段と、
上記経路探索条件受信手段により受信された上記経路探索条件と、上記現在位置情報受信手段により受信された上記現在位置情報と、に基づき案内経路を探索し、案内経路データを生成する経路探索手段と、
上記現在位置情報受信手段により受信された上記現在位置情報が、上記端末装置から受信されたか否かを判定する受信判定手段と、
上記受信判定手段による判定結果に基づいて、上記案内経路データを上記端末装置に対して閲覧可能とする閲覧手段と、
を備えたことを特徴とする、経路探索サーバ。
【請求項２】
請求項１に記載の経路探索サーバにおいて、
上記制御部は、
上記端末装置の上記経路探索の履歴情報として、上記受信判定手段による上記判定結果と上記経路探索手段により生成された上記案内経路データとを対応付けて上記記憶部に格納する探索履歴格納手段、
を更に備え、
上記閲覧手段は、
上記探索履歴格納手段により格納された上記履歴情報に含まれる上記判定結果に基づいて、上記案内経路データを上記端末装置に対して閲覧可能とすることを特徴とする、経路探索サーバ。
【請求項３】
請求項１または２に記載の経路探索サーバにおいて、
上記閲覧手段は、
上記判定結果が上記端末装置から受信された上記現在位置情報である上記案内経路データを上記端末装置に対して閲覧可能とすることを特徴とする、経路探索サーバ。
【請求項４】
請求項１乃至３のいずれか一つに記載の経路探索サーバにおいて、
上記制御部は、
上記現在位置情報の送信元を特定する送信元特定手段、
を更に備え、
上記受信判定手段は、
上記送信元特定手段により特定された上記現在位置情報の上記送信元に基づいて、上記現在位置情報が上記端末装置から受信されたか否かを判定することを特徴とする、経路探索サーバ。
【請求項５】
請求項１乃至４のいずれか一つに記載の経路探索サーバにおいて、
上記現在位置情報は、
上記現在位置情報が上記端末装置から受信されたことを示す要求識別情報を更に含み、
上記受信判定手段は、
上記要求識別情報に基づいて、上記現在位置情報が上記端末装置から受信されたか否かを判定することを特徴とする、経路探索サーバ。
【請求項６】
請求項１乃至５のいずれか一つに記載の経路探索サーバにおいて、
上記制御部は、
上記探索履歴格納手段により格納された上記履歴情報について、上記判定結果に基づいて上記案内経路データをソートするソート手段、
を更に備えたことを特徴とする、経路探索サーバ。
【請求項７】
請求項１乃至６のいずれか一つに記載の経路探索サーバにおいて、
上記制御部は、
上記探索履歴格納手段により格納された、上記受信判定手段により上記現在位置情報が上記端末装置から受信されていないと判定された上記案内経路データを上記履歴情報から破棄する破棄手段、
を更に備えたことを特徴とする、経路探索サーバ。
【請求項８】
端末装置に通信可能に接続された、制御部と記憶部とを少なくとも備えた経路探索サーバであって、
上記制御部は、
上記端末装置から予め受信した目的地および当該目的地への到着希望時刻を含む経路探索条件と、一定時間ごとに受信される上記端末装置の現在位置を示す現在位置情報と、に基づいて上記現在位置から上記目的地まで上記到着希望時刻に到着できる案内経路を探索し、案内経路データを生成する経路探索手段と、
上記経路探索手段により生成された上記案内経路データに対応する出発時刻と現在時刻とを比較することにより、上記出発時刻が上記現在時刻から所定時間内であるか否か判定する時刻判定手段と、
上記時刻判定手段により上記所定時間内であると判定された場合、上記経路探索手段により生成された上記案内経路データと、上記出発時刻が上記現在時刻から上記所定時間内である旨の通知データと、を含む経路探索結果を上記端末装置に送信する経路探索結果送信手段と、
上記経路探索結果送信手段により上記経路探索結果が上記端末装置に送信された場合、当該経路探索結果を履歴情報として上記記憶部に格納し、上記経路探索結果送信手段により上記経路探索結果が上記端末装置に送信されなかった場合、当該経路探索結果を破棄する探索履歴格納手段と、
を備えたことを特徴とする、経路探索サーバ。
【請求項９】
請求項７に記載の経路探索サーバにおいて、
上記到着希望時刻は、
最終電車到着時刻であることを特徴とする、経路探索サーバ。
【請求項１０】
制御部と記憶部とを少なくとも備えた経路探索サーバ、および、制御部を少なくとも備えた端末装置、を通信可能に接続した経路探索システムであって、
上記経路探索サーバの上記制御部は、
上記端末装置から送信される上記端末装置の経路探索の条件を規定する経路探索条件を受信する経路探索条件受信手段と、
上記端末装置の現在位置を示す現在位置情報を受信する現在位置情報受信手段と、
上記経路探索条件受信手段により受信された上記経路探索条件と、上記現在位置情報受信手段により受信された上記現在位置情報と、に基づき案内経路を探索し、案内経路データを生成する経路探索手段と、
上記現在位置情報受信手段により受信された上記現在位置情報が、上記端末装置から受信されたか否かを判定する受信判定手段と、
上記受信判定手段による判定結果に基づいて、上記案内経路データを上記端末装置に対して閲覧可能とする閲覧手段と、
を備えたことを特徴とする、経路探索システム。
【請求項１１】
制御部と記憶部とを少なくとも備えた経路探索サーバ、および、制御部を少なくとも備えた端末装置、を通信可能に接続した経路探索システムであって、
上記経路探索サーバの上記制御部は、
上記端末装置から予め受信した目的地および当該目的地への到着希望時刻を含む経路探索条件と、一定時間ごとに受信される上記端末装置の現在位置を示す現在位置情報と、に基づいて上記現在位置から上記目的地まで上記到着希望時刻に到着できる案内経路を探索し、案内経路データを生成する経路探索手段と、
上記経路探索手段により生成された上記案内経路データに対応する出発時刻と現在時刻とを比較することにより、上記出発時刻が上記現在時刻から所定時間内であるか否か判定する時刻判定手段と、
上記時刻判定手段により上記所定時間内であると判定された場合、上記経路探索手段により生成された上記案内経路データと、上記出発時刻が上記現在時刻から上記所定時間内である旨の通知データと、を含む経路探索結果を上記端末装置に送信する経路探索結果送信手段と、
上記経路探索結果送信手段により上記経路探索結果を上記端末装置に送信した場合、当該経路探索結果を履歴情報として上記記憶部に格納し、上記経路探索結果送信手段により上記経路探索結果を上記端末装置に送信しなかった場合、当該経路探索結果を破棄する探索履歴格納手段と、
を備えたことを特徴とする、経路探索システム。
【請求項１２】
端末装置に通信可能に接続された、制御部と記憶部とを少なくとも備えた経路探索サーバにおいて実行される経路探索方法であって、
上記制御部において実行される、
上記端末装置から送信される上記端末装置の経路探索の条件を規定する経路探索条件を受信する経路探索条件受信ステップと、
上記端末装置の現在位置を示す現在位置情報を受信する現在位置情報受信ステップと、
上記経路探索条件受信ステップにて受信された上記経路探索条件と、上記現在位置情報受信ステップにて受信された上記現在位置情報と、に基づき案内経路を探索し、案内経路データを生成する経路探索ステップと、
上記現在位置情報受信ステップにて受信された上記現在位置情報が、上記端末装置から受信されたか否かを判定する受信判定ステップと、
上記受信判定ステップにおける判定結果に基づいて、上記案内経路データを上記端末装置に対して閲覧可能とする閲覧ステップと、
を含むことを特徴とする、経路探索方法。
【請求項１３】
端末装置に通信可能に接続された、制御部と記憶部とを少なくとも備えた経路探索サーバにおいて実行される経路探索方法であって、
上記制御部において実行される、
上記端末装置から予め受信した目的地および当該目的地への到着希望時刻を含む経路探索条件と、一定時間ごとに受信される上記端末装置の現在位置を示す現在位置情報と、に基づいて上記現在位置から上記目的地まで上記到着希望時刻に到着できる案内経路を探索し、案内経路データを生成する経路探索ステップと、
上記経路探索ステップにて生成された上記案内経路データに対応する出発時刻と現在時刻とを比較することにより、上記出発時刻が上記現在時刻から所定時間内であるか否か判定する時刻判定ステップと、
上記時刻判定ステップにて上記所定時間内であると判定された場合、上記経路探索ステップにて生成された上記案内経路データと、上記出発時刻が上記現在時刻から上記所定時間内である旨の通知データと、を含む経路探索結果を上記端末装置に送信する経路探索結果送信ステップと、
上記経路探索結果送信ステップにて上記経路探索結果が上記端末装置に送信された場合、当該経路探索結果を履歴情報として上記記憶部に格納し、上記経路探索結果送信ステップにて上記経路探索結果が上記端末装置に送信されなかった場合、当該経路探索結果を破棄する探索履歴格納ステップと、
を含むことを特徴とする、経路探索方法。
【請求項１４】
制御部と記憶部とを少なくとも備えた経路探索サーバ、および、制御部を少なくとも備えた端末装置、を通信可能に接続した経路探索システムにおいて実行される経路探索方法であって、
上記経路探索サーバの上記制御部において実行される、上記端末装置から送信される上記端末装置の経路探索の条件を規定する経路探索条件を受信する経路探索条件受信ステップと、
上記経路探索サーバの上記制御部において実行される、上記端末装置の現在位置を示す現在位置情報を受信する現在位置情報受信ステップと、
上記経路探索サーバの上記制御部において実行される、上記経路探索条件受信ステップにて受信された上記経路探索条件と、上記現在位置情報受信ステップにて受信された上記現在位置情報と、に基づき案内経路を探索し、案内経路データを生成する経路探索ステップと、
上記経路探索サーバの上記制御部において実行される、上記現在位置情報受信ステップにて受信された上記現在位置情報が、上記端末装置から受信されたか否かを判定する受信判定ステップと、
上記経路探索サーバの上記制御部において実行される、上記受信判定ステップにおける判定結果に基づいて、上記案内経路データを上記端末装置に対して閲覧可能とする閲覧ステップと、
を含むことを特徴とする、経路探索方法。
【請求項１５】
制御部と記憶部とを少なくとも備えた経路探索サーバ、および、制御部を少なくとも備えた端末装置、を通信可能に接続した経路探索システムにおいて実行される経路探索方法であって、
上記経路探索サーバの上記制御部において実行される、上記端末装置から予め受信した目的地および当該目的地への到着希望時刻を含む経路探索条件と、一定時間ごとに受信される上記端末装置の現在位置を示す現在位置情報と、に基づいて上記現在位置から上記目的地まで上記到着希望時刻に到着できる案内経路を探索し、案内経路データを生成する経路探索ステップと、
上記経路探索サーバの上記制御部において実行される、上記経路探索ステップにて生成された上記案内経路データに対応する出発時刻と現在時刻とを比較することにより、上記出発時刻が上記現在時刻から所定時間内であるか否か判定する時刻判定ステップと、
上記経路探索サーバの上記制御部において実行される、上記時刻判定ステップにて上記所定時間内であると判定された場合、上記経路探索ステップにて生成された上記案内経路データと、上記出発時刻が上記現在時刻から上記所定時間内である旨の通知データと、を含む経路探索結果を上記端末装置に送信する経路探索結果送信ステップと、
上記経路探索サーバの上記制御部において実行される、上記経路探索結果送信ステップにて上記経路探索結果を上記端末装置に送信した場合、当該経路探索結果を履歴情報として上記記憶部に格納し、上記経路探索結果送信ステップにて上記経路探索結果を上記端末装置に送信しなかった場合、当該経路探索結果を破棄する探索履歴格納ステップと、
を含むことを特徴とする、経路探索方法。